(57)【要約】【課題】  印刷終了後だけでなく印刷中も、当該文書を他人が使えないようにできる画像情報装置を提供する。【解決手段】  入力された画像データを蓄積する画像記憶部２３、および入力された画像データまたは画像記憶部２３に蓄積されている文書ファイルを印刷出力する印刷装置２を備え、且つその印刷装置２により前記文書ファイルを印刷出力した直後にコントローラ３がその文書ファイルを画像記憶部２３から消去できるデジタル複写機において、文書ファイル印刷出力中に他の文書ファイルの予約出力指示を受けたとき、コントローラ３は前記他の文書ファイルを出力待ち状態として印刷出力中の文書ファイルを先行出力させ、その印刷出力終了後ただちに出力待ち状態になっている前記他の文書ファイルの印刷出力を開始させるとともに、前記印刷出力中の文書ファイルについては予約出力の対象から除外する構成にした。【選択図】  図１
2006198901.tif 000002
【特許請求の範囲】
【請求項１】
入力された画像データを文書ファイルとして装置内に蓄積する文書蓄積手段と、該文書蓄積手段に蓄積された蓄積文書を管理する文書管理手段と、入力された前記画像データまたは前記文書蓄積手段に蓄積されている文書ファイルを印刷出力する印刷手段と、該印刷手段により前記文書ファイルを印刷出力した直後に当該文書ファイルを前記文書蓄積手段から消去する文書消去手段とを備えた画像情報装置において、文書ファイル印刷出力中に他の文書ファイルの印刷出力指示を受けたとき、前記他の文書ファイルを出力待ち状態として印刷出力中の文書ファイルを先行出力し、その印刷出力終了後ただちに出力待ち状態になっている前記他の文書ファイルの印刷出力を開始する予約出力手段を備えるとともに、前記印刷出力中の文書ファイルについては前記予約出力手段による印刷出力対象から除外することを特徴とする画像情報装置。
【請求項２】
請求項１記載の画像情報装置において、前記文書消去手段による消去を実行させるか否かを前記文書蓄積手段に文書ファイルを蓄積する際に指定する実行指定手段を備え、前記印刷出力中の文書ファイルのうち、前記実行指定手段により消去実行を指定された文書ファイルのみ前記予約出力手段による印刷出力対象から除外することを特徴とする画像情報装置。
【請求項３】
請求項１または請求項２記載の画像情報装置において、前記文書蓄積手段に蓄積されている文書ファイルのファイル一覧を表示する一覧表示手段と、表示された前記ファイル一覧のなかから文書ファイルを選択するファイル選択手段とを備え、前記予約出力手段による文書ファイル出力のための文書ファイルを前記ファイル選択手段により選択することを特徴とする画像情報装置。
【請求項４】
請求項３記載の画像情報装置において、文書ファイルを印刷出力している途中で、前記予約出力手段による文書ファイル出力のための一覧表示を行う場合、印刷出力途中の文書ファイルを表示対象から除外することを特徴とする画像情報装置。
【請求項５】
請求項１または請求項２記載の画像情報装置において、前記文書消去手段は、前記文書ファイルの印刷出力を途中で中断しなかった場合のみ、その文書ファイルを前記文書蓄積手段から消去することを特徴とする画像情報装置。
【請求項６】
入力された画像データを文書ファイルとして文書記憶装置内に蓄積した後、該文書ファイルを印刷出力したとき、印刷出力した直後に前記文書ファイルを前記文書蓄積装置から消去する画像データ処理方法において、文書ファイル印刷出力中に他の文書ファイルの印刷出力指示を受けたとき、前記他の文書ファイルを出力待ち状態として印刷出力中の文書ファイルを先行出力し、その印刷出力終了後ただちに出力待ち状態になっている前記他の文書ファイルの印刷出力を開始する予約出力を行うとともに、その予約出力の際、前記印刷出力中の文書ファイルについては印刷出力対象から除外することを特徴とする画像データ処理方法。
【請求項７】
請求項６記載の画像データ処理方法において、印刷出力した文書ファイルを印刷出力後に消去するか否かを文書ファイル蓄積時に指定しておき、前記印刷出力中の文書ファイルのうち消去する旨が指定された文書ファイルのみ前記印刷出力対象から除外する構成にしたことを特徴とする画像データ処理方法。
【請求項８】
請求項７記載の画像データ処理方法において、蓄積されている文書ファイルのファイル一覧を表示して、そのファイル一覧のなかから予約出力する文書ファイルを選択させるようにしておき、文書ファイルを印刷出力している途中でその一覧表示を行う場合は印刷出力途中の文書ファイルを表示対象から除外することを特徴とする画像データ処理方法。
【発明の詳細な説明】
【技術分野】
【０００１】
本発明は、デジタル複写機や、複写を含む多様な機能を持った複合機など、画像情報装置に係り、特に、入力された文書画像データを文書ファイルとして装置内に蓄積できる画像情報装置に関する。
【背景技術】
【０００２】
近年、半導体技術や情報処理技術の進歩により多機能化が進み、デジタル複写機や複合機など画像情報装置には、原稿から読み取った画像データ、またはクライアントＰＣ（パーソナルコンピュータ）から印刷出力される画像データを装置内に保存（蓄積）する機能がしばしば搭載されている。この機能により、原稿から得られた画像データとクライアントＰＣ上で作成した画像データを合成し、ひとつの文書として印刷したり、両面印刷を行ったり、ステープルで閉じたりというようなことが可能になっている。
その反面、文書ファイルを保存するので、不特定多数の利用者がこのような画像情報装置を使用する環境では、安易にこの機能を用いると、その利用者が用いた文書ファイルが装置に残されてしまい、他人に印刷されるといったセキュリティ上の問題が発生する。
以下、特許文献に示された関連する従来技術について説明する。
まず、特許文献１の従来技術では、ホストコンピュータおよびスキャナから入力された画像データを蓄積する画像メモリ、コントローラ、プリンタ、および入力手段を備え、蓄積された画像データの印刷終了時にその画像データ（画像ファイル）の消去時刻を設定し、且つ、その時刻に消去対象とするか否かを設定し、消去時刻になったとき、当該画像データが消去対象であるならばその画像データを消去する。なお、設定値は延長可能である。また、消去時刻前に消去警告を表示する技術が開示されている。
また、特許文献２に示された従来技術では、入力された画像データを蓄積する際、その画像データを自動消去する日時を設定し、その日時に達したときにその画像データを自動的に消去する技術が開示されている。
しかし、前記した特許文献１および特許文献２に示された従来技術は、限られた記憶領域を有効活用する上では効果があるが、自動消去日時に達するまでの間、他人に簡単に文書を印刷されたり閲覧されたりする危険性が残る。そのため、印刷した文書ファイルを印刷直後に自動消去する技術も提供されるに至っている。
【特許文献１】特開平１１−４２８１７号公報
【特許文献２】特開２００１−２９３９３４公報
【発明の開示】
【発明が解決しようとする課題】
【０００３】
前記したように、印刷した文書ファイルを印刷直後に自動消去する技術も提供されるに至っているが、従来技術では、印刷中のまだ文書ファイルが消去されないうちであれば、他人が使うことができるという問題がある。
本発明の目的は、このような従来技術の問題を解決しようとするものであり、具体的には、印刷終了後に当該文書を他人に使わせないだけでなく、印刷中であっても他人が使えないようにできる画像情報装置を提供することにある。また、併せて、利便性の高い関連機能も備えた画像情報装置を提供する。
【課題を解決するための手段】
【０００４】
前記した課題を解決するために、請求項１記載の発明では、入力された画像データを文書ファイルとして装置内に蓄積する文書蓄積手段と、該文書蓄積手段に蓄積された蓄積文書を管理する文書管理手段と、入力された前記画像データまたは前記文書蓄積手段に蓄積されている文書ファイルを印刷出力する印刷手段と、該印刷手段により前記文書ファイルを印刷出力した直後に当該文書ファイルを前記文書蓄積手段から消去する文書消去手段とを備えた画像情報装置において、文書ファイル印刷出力中に他の文書ファイルの印刷出力指示を受けたとき、前記他の文書ファイルを出力待ち状態として印刷出力中の文書ファイルを先行出力し、その印刷出力終了後ただちに出力待ち状態になっている前記他の文書ファイルの印刷出力を開始する予約出力手段を備えるとともに、前記印刷出力中の文書ファイルについては前記予約出力手段による印刷出力対象から除外することを特徴とする。
また、請求項２記載の発明では、請求項１記載の画像情報装置において、前記文書消去手段による消去を実行させるか否かを前記文書蓄積手段に文書ファイルを蓄積する際に指定する実行指定手段を備え、前記印刷出力中の文書ファイルのうち、前記実行指定手段により消去実行を指定された文書ファイルのみ前記予約出力手段による印刷出力対象から除外することを特徴とする。
また、請求項３記載の発明では、請求項１または請求項２記載の画像情報装置において、前記文書蓄積手段に蓄積されている文書ファイルのファイル一覧を表示する一覧表示手段と、表示された前記ファイル一覧のなかから文書ファイルを選択するファイル選択手段とを備え、前記予約出力手段による文書ファイル出力のための文書ファイルを前記ファイル選択手段により選択することを特徴とする。
【０００５】
また、請求項４記載の発明では、請求項３記載の画像情報装置において、文書ファイルを印刷出力している途中で、前記予約出力手段による文書ファイル出力のための一覧表示を行う場合、印刷出力途中の文書ファイルを表示対象から除外することを特徴とする。
また、請求項５記載の発明では、請求項１または請求項２記載の画像情報装置において、前記文書消去手段は、前記文書ファイルの印刷出力を途中で中断しなかった場合のみ、その文書ファイルを前記文書蓄積手段から消去することを特徴とする。
また、請求項６記載の発明では、入力された画像データを文書ファイルとして文書記憶装置内に蓄積した後、その文書ファイルを印刷出力したとき、印刷出力した直後にその文書ファイルを前記文書蓄積装置から消去する画像データ処理方法において、文書ファイル印刷出力中に他の文書ファイルの印刷出力指示を受けたとき、前記他の文書ファイルを出力待ち状態として印刷出力中の文書ファイルを先行出力し、その印刷出力終了後ただちに出力待ち状態になっている前記他の文書ファイルの印刷出力を開始する予約出力を行うとともに、その予約出力の際、前記印刷出力中の文書ファイルについては印刷出力対象から除外することを特徴とする。
また、請求項７記載の発明では、請求項６記載の発明において、印刷出力した文書ファイルを印刷出力後に消去するか否かを文書ファイル蓄積時に指定しておき、前記印刷出力中の文書ファイルのうち消去する旨が指定された文書ファイルのみ前記印刷出力対象から除外することを特徴とする。
また、請求項８記載の発明では、請求項７記載の発明において、蓄積されている文書ファイルのファイル一覧を表示して、そのファイル一覧のなかから予約出力する文書ファイルを選択させるようにしておき、文書ファイルを印刷出力している途中でその一覧表示を行う場合は印刷出力途中の文書ファイルを表示対象から除外することを特徴とする。
【発明の効果】
【０００６】
本発明によれば、請求項１および請求項６記載の発明では、文書ファイル印刷出力中に他の文書ファイルの印刷出力指示を受けたとき、前記他の文書ファイルを出力待ち状態として印刷出力中の文書ファイルを先行出力し、その印刷出力終了後ただちに出力待ち状態になっている前記他の文書ファイルの印刷出力を開始する予約出力を行うとともに、その予約出力の際、印刷出力中の文書ファイルについては印刷出力対象から除外するので、印刷終了後に当該文書が他人に使われてしまうのを回避できるだけでなく、当該文書が印刷中のうちから他人が使えないようにすることができる。
また、請求項２記載の発明では、請求項１記載の発明において、消去を実行させるか否かを文書ファイル蓄積の際に指定しておき、印刷出力中の文書ファイルのうち消去実行を指定された文書ファイルのみ印刷出力対象から除外することができるので、利用者が望むならば、印刷終了後も当該文書ファイルを消去しないままにしておき、引き続き印刷出力を行うことができる。
また、請求項３記載の発明では、請求項１または請求項２記載の発明において、蓄積されている文書ファイルのファイル一覧を表示し、表示されたファイル一覧から予約出力する文書ファイルを選択できるので、予約出力する文書ファイルを容易に選択できる。
また、請求項４記載の発明では、請求項３記載の発明において、文書ファイルを印刷出力している途中で、文書ファイル予約出力のための一覧表示を行う場合、印刷出力途中の文書ファイルを表示対象から除外できるので、請求項１記載の発明の効果を容易に実現できる。
また、請求項５記載の発明では、請求項１または請求項２記載の発明において、文書ファイルの印刷出力を途中で中断しなかった場合のみ、その文書ファイルを消去するようにできるので、設定ミスに気づいたりして印刷ジョブを中断した場合、その文書ファイルが消去されずに残り、したがって、再度印刷出力を行うことができる。
また、請求項７記載の発明では、請求項６記載の発明において、印刷出力した文書ファイルを印刷出力後に消去するか否かを文書ファイル蓄積時に指定しておき、印刷出力中の文書ファイルのうち消去する旨が指定された文書ファイルのみ印刷出力対象から除外するので、請求項２記載の発明と同様に、利用者が望むならば、印刷終了後も当該文書ファイルを消去しないままにしておき、引き続き印刷出力を行うことができる。
また、請求項８記載の発明では、請求項７記載の発明において、蓄積されている文書ファイルのファイル一覧を表示して、そのファイル一覧のなかから予約出力する文書ファイルを選択させるようにしておき、文書ファイルを印刷出力している途中でその一覧表示を行う場合は印刷出力途中の文書ファイルを表示対象から除外するので、請求項６記載の発明の効果を容易に実現できる。
【発明を実施するための最良の形態】
【０００７】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は本発明の一実施形態を示すデジタル複写機の構成ブロック図である。図示したように、このデジタル複写機は、原稿から画像を読み取る読み取り装置１、印刷用紙に画像を印刷する印刷装置２、前記読み取り装置１により読み取られた画像データを記憶しておく画像記憶部２３、利用者とのインタフェースとなる入出力制御を行う操作表示制御部２４、前記各部を制御するメインコントローラ２１を有するコントローラ３、操作表示部３０などを備えている。
図２は、読み取り装置１および印刷装置２の機構系を示す説明図である。図２において、読み取り装置１は、読み取りユニット４、自動原稿送り装置（以下、ＡＤＦと称す）６、原稿台７などから構成されており、後述する操作表示部上のプリントキーが押下されると、コントローラ３に制御されて、読み取り装置１は、原稿台７に戴置された原稿をＡＤＦ６により読み取りユニット４のコンタクトガラス８上に給送し、読み取りユニット４内のＣＣＤイメージセンサ５により画像面からの入射光を電気信号に変換する画像読み取りを行い、読み取りが終了した原稿を外部へ排出する。原稿が原稿台７の上に存在している場合は、さらに、その原稿を前原稿と同様にコンタクトガラス８上へ給送し、画像読み取りを行う。そして、読み取られた画像データを、コントローラ３が画像記憶部２３に格納する。
【０００８】
図３に、コントローラ３の要部（メインコントローラ２１を除く部分）と画像記憶装置２３の詳細ブロック図を示す。図示したように、読み取り装置１から受け取った電気信号をデジタル画像データに変換するＡ／Ｄコンバータ６１、その画像データに対する画像処理（シェーディング補正、ＭＴＦ補正、γ補正など）を行う画像処理回路６２、画像データを指定された倍率で拡大／縮小する変倍回路６３、１ページ分の画像データを記憶する画像メモリ６４、画像データを長期にわたり保存（蓄積）するためのＨＤ（ハードディスク）６５、画像メモリ６４およびＨＤ６５に対するデータの読み書きや印刷装置２およびメインコントローラ２１への画像データ送出を制御するメモリコントローラ６６、入力された画像データの流れやＨＤ６５または画像メモリ６４内のデータの送出先をプログラムに従ってメモリコントローラ６６に指示したりするＣＰＵ６７、そのプログラムおよびデータを記憶しているＲＯＭ６８、前記ＣＰＵ６７の作業用メモリであるＲＡＭ６９、設定されたデータなどを記憶しておく不揮発性のＮＶ−ＲＡＭ７０、外部の例えばクライアントＰＣなどから入力されるデータを受信するＩ／Ｏポート７１などを備えている。なお、画像メモリ６４およびＨＤ６５は画像記憶装置２３を構成している。
図２に戻り、印刷装置２について説明する。
図示したように、印刷装置２は、第１給紙ユニット９、第２給紙ユニット１０、第３給紙ユニット１１、縦搬送ユニット１２、書き込みユニット１３、現像ユニット１４、感光体１５、搬送ベルト１６、定着ユニット１７、排紙ユニット１８、フィニッシャ１９などを備えている。このような構成で、読み取り装置１により読み取れた画像データはコントローラ３および画像記憶部２３を経由して印刷装置２へ送出され、印刷装置２を構成している書き込みユニット１３からのレーザー光により静電潜像が感光体１５に書き込まれ、現像ユニット１４を通過することにより感光体１５上にトナー像が形成される。
一方、第１給紙ユニット９、第２給紙ユニット１０、または第３給紙ユニット１１から給紙された転写紙は縦搬送ユニット１２を経由し、感光体１５の回転と等速で搬送ベルト１６によって搬送されながら、感光体１５上のトナー像を転写される。その後、転写紙は定着ユニット１７を通過することによりトナー像を紙面に定着させ、排紙ユニット１８によって後処理装置のフィニシャ１９に排出される。
【０００９】
次に、図４により操作表示部３０について説明する。
図示したように、操作表示部３０は、液晶タッチパネル３１、テンキー３２、ストップキー３３、プリントキー３４、リセットキー３５、初期設定キー３６などを備えており、これらのキーが押下されると、操作表示制御部２４を介してメインコントローラ２１へキー押下発生が通知される。なお、テンキー３２はコピー部数などの入力に用い、ストップキー３３はコピー動作を中断するのに用いる。また、プリントキー３４はコピー動作の実行開始を行うのに用いる。初期設定キー３６はこの画像情報装置を初期状態に設定するのに用い、初期設定キー３６の押下により初期設定画面に移る。
液晶タッチパネル３１内には、原稿の種類を指示するキー、コピーした画像をＨＤ６５に蓄積する動作を指示するための文書蓄積キー３８、蓄積した文書ファイルを一覧表示するための文書一覧キー３９などが配置されている。そして、例えば文書一覧キー３９を押下すると、蓄積されている文書ファイルの一覧が表示され（図６参照）、「戻る」キー押下により液晶タッチパネル３１は元の画面に戻る。
以下、本発明の各実施例について説明する。なお、各実施例では、請求項記載の印刷手段が印刷装置２により実現され、文書蓄積手段がＨＤ６５により実現され、文書管理手段および文書消去手段がＣＰＵ６７などにより実現され、予約出力手段およびファイル選択手段がメインコントローラ２１、操作表示制御部２４、操作表示部３０、ＣＰＵ６７などにより実現され、一覧表示手段がメインコントローラ２１、操作表示制御部２４、操作表示部３０により実現される。
【実施例１】
【００１０】
最初に文書蓄積の動作フローを図５により説明する。
まず、原稿台７上に原稿を戴置する。そして、利用者が液晶タッチパネル３１上の文書蓄積キー３８を押下すると（Ｓ１）、文書蓄積キー３８の押下がコントローラ３へ通知され、コントローラ３は以降の原稿読み取り動作において読み取られる画像データがＨＤ６５に保存（蓄積）されるものであることを記憶しておく。
この状態でプリントキー３４が押下されると（Ｓ２）、操作表示制御部２４はコントローラ３に対してプリントキー３４が押下されたことを通知する。メインコントローラ２１は、このキー押下通知を受けると、読み取り装置１に対して原稿読み取りを命令するとともに、読み取られた画像データを画像記憶部側へ送出することも併せて命令する。さらに、メインコントローラ２１は画像記憶部側に対して画像データの蓄積開始を指示し、以後、読み取り装置１から受け取った画像データをＨＤ６５に格納させるとともに印刷装置２へ印刷データを送出する旨を通知する（Ｓ３）。
前記において、読み取られた原稿画像の電気信号はＡ／Ｄコンバータ６１によりデジタル信号に変換され、一連の画像処理を施され、メモリコントローラ６６を経由して画像メモリ６４に格納される。画像メモリ６４に格納された画像データはメモリコントローラ６６により印刷装置２へ送出されるとともに、メモリコントローラ６６内で圧縮処理を受け、ＨＤ６５に保存される。このとき、ＣＰＵ６７は当該画像データに画像ＩＤ（識別符号）を割り振り（Ｓ４）、その画像ＩＤとＨＤ６５内の記憶場所をＮＶ−ＲＡＭ７０に記憶する。
こうして、当該画像データの保存が終了すると、次の原稿が原稿台７に戴置されているか否かを判定し（Ｓ５）、戴置されているならば（Ｓ５でＹｅｓ）、次の原稿についてステップＳ３から繰り返す。そして、一まとまりの原稿束の原稿読み取りがすべて完了して原稿台７に原稿がなくなると（Ｓ５でＮｏ）、読み取り装置１は原稿台７に原稿が戴置されていないことをメインコントローラ２１に通知する。
コントローラ３では、最終画像データのＨＤ６５への保存が終了すると、ＣＰＵ６７が最終画像データに対応した画像ＩＤを生成してＮＶ−ＲＡＭ７０に記憶するとともに、予め生成しておいた文書ＩＤ（ファイルＩＤ）と画像データ蓄積開始時の画像ＩＤから最終画像データの画像ＩＤまでの画像ＩＤ群とを関連付けた蓄積文書管理テーブル（図６参照）を作成し（Ｓ６）、作成した蓄積文書管理テーブルをＮＶ−ＲＡＭ７０に保存する。
【００１１】
次に、蓄積文書の一覧表示と蓄積文書印刷の動作フローを図７に従って説明する。
まず、利用者が液晶タッチパネル３１（図４参照）の文書一覧キー３９を押下する（Ｓ１１）。これにより、操作表示制御部２４はメインコントローラ２１に対してキー押下通知を出し、このキー押下通知を受けたメインコントローラ２１からの指示によりＣＰＵ６７が蓄積文書管理テーブル（図６参照）をＮＶ−ＲＡＭ７０から読み出す（Ｓ１２）。そして、その蓄積文書管理テーブルをメインコントローラ２１に渡し、メインコントローラ２１はこの蓄積文書管理テーブルを元に文書一覧情報（画像ＩＤ列を除いたもの）を作成し（Ｓ１３）、操作表示制御部２４に表示を指示する。そして、操作表示制御部２４が蓄積文書一覧を液晶タッチパネル３１に表示させる（図８参照）（Ｓ１４）。
次に、表示されている蓄積文書一覧から所望の文書を指定させる（Ｓ１５）。そして、利用者がプリントキー３４（図４参照）を押下すると（Ｓ１６）、メインコントローラ２１はＣＰＵ６７に対して該当する蓄積文書のファイルＩＤとその文書印刷指示を出す。これにより、ＣＰＵ６７は指定されたファイルＩＤに応じた画像ＩＤの画像データをＨＤ６５から読み出し（Ｓ１７）、メモリコントローラ６６が圧縮された画像データを元に戻し、画像メモリ６４に展開する（Ｓ１８）。画像メモリ６４に展開された画像データはメモリコントローラ６６により印刷装置２へ送出され、印刷装置２はその画像データにより印刷出力する（Ｓ１９）。
ステップＳ１９で蓄積文書の印刷を開始した後、液晶タッチパネル３１の画面には図９に示したように画面右上に新規予約キー８１が表示される。ここで新規予約キー８１を押下すると、液晶タッチパネル３１は図１０に示したようになり、画面右上には印刷ジョブキー８２が表示される。ここで印刷ジョブキー８２を押下すると、液晶タッチパネル３１は図９に戻る。
【００１２】
それに対して、図１０に示した画面の表示状態で利用者が１つの文書を選択し、プリントキー３４を押下すると、コントローラ３はこの選択文書を印刷待ち状態とし、印刷中の印刷ジョブが終了した時点でその選択文書の印刷を実行する。
この際、自動消去が設定されていると、蓄積文書の出力後にその文書をＨＤ６５から消去する。この自動消去を設定するには、初期設定キー３６を押下後、図示しない初期設定画面内で「出力後自動消去する／しない」のいずれかひとつを指定する。ここで、例えば、「出力後自動消去：する」にした場合、コントローラ３では印刷出力した文書ファイルを印刷直後、例外なく自動消去する。なお、自動消去をするかしないかを蓄積時に文書ファイルごとに指定することにより、印刷した文書ファイルが自動消去の指定のある場合のみその文書ファイルを印刷直後に自動消去するようにしてもよい。
また、この実施例では、初期設定において「出力後自動消去：する」が指定されている状態で、蓄積文書を出力中に図９に示した新規予約キー８１を押下すると、メインコントローラ２１はＣＰＵ６７に対して蓄積文書管理テーブルをＮＶ−ＲＡＭ７０から読み込むように指示するが、そのとき、メインコントローラ２１内で生成する文書一覧情報から印刷中の文書をはずし、操作表示制御部２４に蓄積文書一覧の表示を指示する。
なお、印刷出力後自動消去するかしないかを指定させる実行指定手段を備えないで、印刷出力した文書ファイルはすべて消去する構成も可能であり、そのような構成では、印刷出力中の文書ファイルはすべて前記予約出力手段による印刷出力対象から除外する。
こうして、この実施例によれば、他人は印刷終了後に当該文書を使えないだけでなく、印刷中の文書についても使えなくなる。
【実施例２】
【００１３】
この実施例では、文書ファイルの印刷出力を途中で中断しなかった場合のみ、その文書ファイルをＨＤ６５から消去する。例えば、初期設定において「出力後自動消去：する」が指定されている状態で、印刷出力を指定された文書ファイルが（蓄積文書の総ページ数）×（部数分）の途中までしか出力されていない状態で印刷ジョブが中断された場合、「出力後自動消去：する」であってもメインコントローラ２１はＣＰＵ６７に対して当該文書ファイルの消去を依頼しないようにする。
なお、印刷出力後自動消去するかしないかを指定させる実行指定手段を備えないで、印刷出力した文書ファイルはすべて消去する構成の場合は、印刷出力を途中で中断した場合、そのような文書ファイルはすべて消去しない。
こうして、この実施例によれば、両面印刷やステープル付き印刷など各種印刷動作を設定する際の設定ミスに気づいたりして印刷ジョブを中断した場合、その文書ファイルが消去されずに残っているので、再度印刷出力を行うことができる。
【図面の簡単な説明】
【００１４】
【図１】本発明の一実施形態を示すデジタル複写機の構成ブロック図。
【図２】本発明の一実施形態を示すデジタル複写機要部の説明図。
【図３】本発明の一実施形態を示すデジタル複写機の他の要部の詳細ブロック図。
【図４】本発明の一実施形態を示すデジタル複写機の他の要部の平面図。
【図５】本発明の第１の実施例を示すデジタル複写機要部の動作フロー図。
【図６】本発明の第１の実施例を示すデジタル複写機要部のデータ構成図。
【図７】本発明の第１の実施例を示すデジタル複写機要部の他の動作フロー図。
【図８】本発明の第１の実施例を示すデジタル複写機の画面図。
【図９】本発明の第１の実施例を示すデジタル複写機の他の画面図。
【図１０】本発明の第１の実施例を示すデジタル複写機の他の画面図。
【符号の説明】
【００１５】
１  読み取り装置、２  印刷装置、３  コントローラ、２１  メインコントローラ、２３  画像記憶部、２４  操作表示制御部、３０  操作表示部、３１  液晶タッチパネル、３４  プリントキー、３６  初期設定キー、３８  文書蓄積キー、３９  文書一覧キー、６５  ハードディスク、６７  ＣＰＵ、７０  ＮＶ−ＲＡＭ、８１  新規予約キー
【図１】
2006198901.tif 000003
【図２】
2006198901.tif 000004
【図３】
2006198901.tif 000005
【図４】
2006198901.tif 000006
【図５】
2006198901.tif 000007
【図６】
2006198901.tif 000008
【図７】
2006198901.tif 000009
【図８】
2006198901.tif 000010
【図９】
2006198901.tif 000011
【図１０】
2006198901.tif 000012